(57)【要約】【課  題】観音開式扉が開いている状態では、仕切体をより確実にかつ低コストで引込位置に保持することができる冷却貯蔵庫を提供する。【解決手段】冷却貯蔵庫の断熱箱体（１）の開口（８）を観音開式扉（１１，１２）が開閉自在に閉塞する。右側扉の裏面の仕切支持体（２１）には、仕切体（２６）が張出位置と引込位置との間を揺動可能に取り付けられ、扉の閉動作に伴って、仕切体のガイド溝（２７）が開口縁部の突出部（４３）に係合して、仕切体が引込位置から張出位置に揺動する。仕切支持体の回動軸（３２）に嵌まる長孔（３４）を有する係合部支持体（３１）は、扉が閉の際に押圧部（４６）で押圧される被押圧部（３６）および、係合部（３３）を具備している。係合部は、扉が開の際には仕切体の係止部（２８）に係合し仕切体を引込位置に保持し、かつ、被押圧部が押圧されると係合位置から移動して仕切体の揺動を許容する。【選択図】  図７
2004176941.tif 000002
【特許請求の範囲】
【請求項１】
断熱箱体の開口を観音開式扉が開閉自在に閉塞するとともに、一方の扉の非支持側部分の裏面に仕切支持体が設けられ、
この仕切支持体に仕切体が、扉の端部から突出する張出位置と、この張出位置よりも引っ込んだ引込位置との間を揺動可能に取り付けられ、
前記一方の扉の閉動作に伴って、仕切体の端部に設けられたガイド溝が断熱箱体の開口縁部に設けられた突出部に係合して、仕切体が引込位置から張出位置に揺動する冷却貯蔵庫において、
前記仕切支持体の端部に設けられた回動軸と、
この回動軸に嵌まる長孔を有して、回動軸を中心として回動するとともに、長孔が回動軸に対してスライドすることにより上下動する係合部支持体と、
前記一方の扉が閉位置の際に、前記断熱箱体の開口縁部または開口縁部に設けられた押圧部に押圧されるべく前記係合部支持体に設けられた被押圧部と、
前記仕切体に設けられた係止部と、
前記一方の扉が開位置で前記被押圧部が押圧されていない際には、係止部に係合して仕切体を引込位置に保持し、かつ、前記一方の扉が閉位置で前記被押圧部が押圧されると係合位置から移動して仕切体の揺動を許容する前記係合部支持体に設けられた係合部とを備えていることを特徴とする冷却貯蔵庫。
【請求項２】
前記押圧部の押圧に抗する方向に前記係合部支持体を付勢する付勢手段を備えていることを特徴としている請求項１記載の冷却貯蔵庫。
【請求項３】
前記付勢手段が、仕切支持体の本体の端面に当接する脚部を有する板バネで構成され、
かつ、前記係合部支持体には、前記板バネの脚部の付け根部の上下の変位を許容する開口が設けられていることを特徴としている請求項１または２記載の冷却貯蔵庫。
【請求項４】
前記押圧部が、弾性部材を介して断熱箱体の開口縁部に設けられ上下方向に変位可能であることを特徴としている請求項１，２または３記載の冷却貯蔵庫。
【発明の詳細な説明】
【０００１】
【発明の属する技術分野】
本発明は、断熱箱体の観音開式扉の一方の扉の閉動作に伴って、この扉に仕切支持体を介して取り付けられた仕切体が引込位置から張出位置に揺動する冷却貯蔵庫に関する。
【０００２】
【従来の技術】
従来の冷却貯蔵庫（たとえば、特許文献１参照）を、図９を用いて説明する。図９は従来の冷却貯蔵庫の観音開式扉の開閉時の概略の説明図である。観音開式扉０１，０２は、（ａ）に図示する閉位置から、（ｂ）に図示する開位置を通って、大きく全開することができる。そして、右側の扉０２には、非支持側部分の裏面に仕切支持体０３が設けられ、この仕切支持体０３に仕切体０４が、揺動可能に取り付けられている。そして、この仕切体０４は、（ａ）に図示する扉０１，０２が閉じている状態では、右側の扉０２の左端から左側に突出する張出位置となっており、左側の扉０１のガスケット０６が仕切体０４の側面に当接し、庫内の冷気の流出を防止している。一方、（ｂ）に図示する扉０１，０２が開いている状態では、仕切体０４は（ａ）の張出位置から時計方向に回動して、張出位置よりも右側に引っ込んだ引込位置となっており、左側の扉０１が閉じている状態でも、右側の扉０２の開閉が可能となっている。
【０００３】
この仕切体０４の張出位置と引込位置との間の揺動は、仕切体０４に設けられたガイド溝０７が断熱箱体の開口縁部に設けられた二点鎖線で図示する突出部０８に係合することにより行われている。すなわち、（ａ）に図示する扉０１，０２が閉じている状態から、右側の扉０２を開けると、仕切体０４が手前側に引っ張られ、ガイド溝０７に係合している突出部０８により仕切体０４が時計方向に回動し、引込位置となる。一方、（ｂ）に図示する扉０１，０２が開いている状態から、右側の扉０２を閉じると、仕切体０４のガイド溝０７が突出部０８に係合するとともに、仕切体０４が庫内側に押し込まれ、仕切体０４が反時計方向に回動し、張出位置となる。
【０００４】
【特許文献１】
特許第３１４３２４６号明細書
【０００５】
【発明が解決しようとする課題】
ところで、業務用冷蔵庫や冷凍庫などの冷却貯蔵庫では、段ボールなどに収納された貯蔵物を出し入れすることがある。そして、この段ボールなどが、開いている右側の扉０２の仕切体０４に接触して、仕切体０４を引込位置から張出位置に回動させることがある。この状態で、右側の扉０２を閉じる方向に回動すると、仕切体０４の側面が左側の扉０１や突出部０８に当接する。したがって、手などで仕切体０４を張出位置から引込位置に回動させる必要があり、扉０２を円滑に閉じることが妨げられる。特に、仕切体０４が張出位置にある状態で、右側の扉０２を脚などで勢い良く閉めると、仕切体０４（特に、ヒンジ部）や突出部０８などを損傷するおそれがある。
【０００６】
そこで、右側の扉０２が開位置にある際に、仕切体０４を引込位置に強制的に保持する仕切体保持手段を仕切支持体０３および仕切体０４の端部に設置することを検討した。しかしながら、仕切支持体０３や仕切体０４は細長く、冷却貯蔵庫の貯蔵温度帯が異なると、それに伴って仕切支持体０３や仕切体０４の収縮量が異なり、仕切支持体０３および仕切体０４の端部の位置が上下に変位する。すなわち、冷凍庫では、冷蔵庫よりも貯蔵温度が低いので、冷蔵庫と同じ長さの仕切支持体０３や仕切体０４を用いると、仕切支持体０３や仕切体０４の上端部の位置が下方に変位し、それに伴って、仕切支持体０３および仕切体０４の上端部に設けられた仕切体保持手段が下方に変位し、仕切体保持手段の円滑な作動が妨げられる。そのため、貯蔵温度帯毎に、微妙に長さの異なる仕切支持体０３や仕切体０４を採用する必要があり、部品の製造コストや管理コストが増大する。
【０００７】
本発明は、以上のような課題を解決するためのもので、観音開式扉が開いている状態では、仕切体をより確実にかつ低コストで引込位置に保持することができる冷却貯蔵庫を提供することを目的としている。
【０００８】
【課題を解決するための手段】
本発明の冷却貯蔵庫は、断熱箱体（１）の開口（８）を観音開式扉（１１，１２）が開閉自在に閉塞するとともに、一方の扉の非支持側部分の裏面に仕切支持体（２１）が設けられ、この仕切支持体に仕切体（２６）が、扉の端部から突出する張出位置と、この張出位置よりも引っ込んだ引込位置との間を揺動可能に取り付けられ、前記一方の扉の閉動作に伴って、仕切体の端部に設けられたガイド溝（２７）が断熱箱体の開口縁部に設けられた突出部（４３）に係合して、仕切体が引込位置から張出位置に揺動する。そして、仕切支持体の端部に設けられた回動軸（３２）と、この回動軸に嵌まる長孔（３４）を有して回動軸を中心として回動するとともに長孔が回動軸に対してスライドすることにより上下動する係合部支持体（３１）と、前記一方の扉が閉位置の際に、前記断熱箱体の開口縁部または開口縁部に設けられた押圧部（４６）に押圧されるべく前記係合部支持体に設けられた被押圧部（３６）と、仕切体に設けられた係止部（２８）と、前記一方の扉が開位置で前記被押圧部が押圧されていない際には係止部に係合して仕切体を引込位置に保持し、かつ、前記一方の扉が閉位置で前記被押圧部が押圧されると係合位置から移動して仕切体の揺動を許容する前記係合部支持体に設けられた係合部（３３）とを備えていることを特徴とする。
【０００９】
また、押圧部の押圧に抗する方向に前記係合部支持体を付勢する付勢手段（３７）を備えていることがある。
【００１０】
さらに、前記付勢手段が、仕切支持体の本体の端面に当接する脚部（３７ｃ，３７ｄ）を有する板バネで構成され、かつ、係合部支持体には、前記板バネの脚部の付け根部（３７ｂ）の上下の変位を許容する開口（３９）が設けられていることがある。
【００１１】
そして、前記押圧部が、弾性部材（４４）を介して断熱箱体の開口縁部に設けられ上下方向に変位可能であることがある。
【００１２】
【発明の実施の形態】
次に、本発明における冷却貯蔵庫の実施の一形態を図１ないし図８を用いて説明する。図１は本発明にかかる冷却貯蔵庫の斜視図である。図２は冷却貯蔵庫の仕切体および仕切支持体の上部の斜視図である。図３は押圧部、ガイド溝に係合する突出部、仕切体および仕切支持体の組立分解斜視図である。図４は引込位置にある仕切体および仕切支持体の要部切欠斜視図である。図５は閉位置にある観音開式扉の要部平断面図である。図６は開位置にある観音開式扉の要部平断面図である。図７は扉が閉じる直前の説明図で、（ａ）が要部断面図、（ｂ）が仕切体および仕切支持体の平面図である。図８は扉が閉じた状態の説明図で、（ａ）が要部断面図、（ｂ）が仕切体および仕切支持体の平面図である。
【００１３】
まず始めに、全体構成を説明する。冷却貯蔵庫である業務用冷蔵庫の本体は、断熱箱体１で構成され、この断熱箱体１の内部空間すなわち庫内２には、網棚３が複数多段に設けられているとともに、図示しない冷却器により冷却される。この冷却器は、断熱箱体１の上側に配置されている圧縮機６および凝縮器７などとともに冷凍サイクルを構成している。また、断熱箱体１の前面には開口８が形成され、この開口８は横仕切９により上下に仕切られ、上側の開口面および下側の開口面が形成されている。各開口面は各々、観音開式の断熱扉１１〜１４で開閉自在に閉塞されている。扉１１〜１４は、各開口面の左右縁部に上下ヒンジにより回動自在に取り付けられているとともに、裏面周縁部にガスケット１６が設けられている。また、下側の開口面には左右に二分割するように支柱１７が設けられている。そして、下側の扉１３，１４が閉じられている状態では、扉１３，１４のガスケット１６が開口８の縁部、横仕切９および支柱１７に当接する。
【００１４】
つぎに、上側の観音開式の扉１１，１２の詳細について説明する。右側の扉１２の非支持側（すなわち、左側）部分の裏面に、上下方向に細長い樹脂製の仕切支持体２１が設けられている。この仕切支持体２１に、回動軸２２（図７（ｂ）および図８（ｂ）参照）を中心として回動可能に仕切体２６が取り付けられており、樹脂製の仕切体２６は、図５に図示するように右側の扉１２の端部から左側に突出する張出位置と、この張出位置よりは引っ込んだ図６に図示する引込位置との間を揺動可能である。この仕切体２６は上下方向に細長で、開口８の上側の開口面の高さに略相当する長さを有している。
【００１５】
そして、仕切体２６の上端部には、端面にガイド溝２７が、また、側面には係止部としての爪係止溝２８が形成されている。爪係止溝２８は上下方向に形成されているとともに、下端部が横方向に切り欠かれ、離脱部２８ａが形成されている。一方、仕切支持体２１の上端部には、係合部支持体としての板金製の爪支持板３１が係合部支持体用回動軸としてのビス３２で回動可能に取り付けられている。爪支持板３１は、係合部としての爪３３が突出して形成されているとともにビス３２が挿入される長孔３４が形成されている側板部３１ａ、この側板部３１ａの上端から略直角に折り曲げられた中板部３１ｂ、および、この中板部３１ｂの端部から略直角に上方に折り曲げられたフランジ部３１ｃを具備している。フランジ部３１ｃに、爪支持板３１の上方を覆う被押圧部としてのキャップ３６および、キャップ３６を上方に付勢する付勢手段として被押圧部用板バネ３７がビス３８で取り付けられている。板バネ３７は、爪支持板３１のフランジ部３１ｃに取り付けられる取付部３７ａ、この取付部３７ａから略直角に折れ曲がって形成される付け根部３７ｂおよび、この付け根部３７ｂから延在し先端が仕切支持体２１の本体の上面に当接する脚部３７ｃ，３７ｄを具備している。扉側脚部３７ｃは庫内側脚部３７ｄよりも長い。また、爪支持板３１の中板部３１ｂには、板バネ３７の付け根部３７ｂの上下の移動を許容する開口３９が形成されており、開口３９の開口面付近に付け根部３７ｂが位置している。そして、爪支持板３１の長孔３４は、爪支持板３１の庫内２側の部分に形成されているとともに、キャップ３６の上面は、先端側（すなわち、庫内２側）が下側となるように前下りとなっている。
【００１６】
一方、開口８の上側縁部には、開口縁部側部品４１が設けられている。この開口縁部側部品４１は、開口８の縁部にビス止めされる取付板４２、この取付板４２に一体に形成された突出部４３、取付板４２に取り付けられた押圧部付勢手段としての弾性部材である押圧部用板バネ４４、および、この板バネ４４の先端に取り付けられ上下動可能な押圧部４６を具備する。そして、右側の扉１２が閉じられた状態において、突出部４３が仕切体２６のガイド溝２７に係合可能な位置に配置され、かつ、押圧部４６がキャップ３６を押圧することが可能な位置に配置されている。右側の扉１２が閉じられる際には、キャップ３６が押圧部４６により下方に押圧される。この押圧により、爪支持板３１がビス３２を中心として回動し、キャップ３６の扉１２側の端部および爪３３が下方に変位するとともに、爪支持板３１の長孔３４がビス３２にスライドして爪支持板３１の全体がさらに下方に変位する。
【００１７】
この様に構成されている業務用冷蔵庫における上側の扉１１，１２の開閉動作を説明する。右側の扉１２が開いている状態では、図７に図示するように、仕切支持体２１側の爪３３が引込位置にある仕切体２６の爪係止溝２８に係合して係止されており、仕切体２６が張出位置に揺動することを阻止している。そして、この状態から右側の扉１２を閉方向に回動すると、キャップ３６が開口８の縁部に設けられた押圧部４６で、板バネ３７の付勢力に抗して下方に押圧され、キャップ３６および爪支持板３１がビス３２を中心として図７において時計方向に回動する（すなわち、キャップ３６の扉側端部が下方に移動するように回動する）とともに、爪支持板３１の長孔３４がビス３２に対してスライドすることにより、キャップ３６および爪支持板３１がさらに下方に変位する。このキャップ３６および爪支持板３１の回動および上下方向の変位（この実施の形態では下方移動）にともなって、爪３３が下方に移動し、爪係止溝２８に係合している状態から離脱部２８ａの位置まで変位し、仕切体２６の揺動を許容する。それとともに、右側の扉１２の閉動作に伴って、図６に図示するように、仕切体２６のガイド溝２７が開口８の縁部の突出部４３に向かって移動して係合する。この係合により、突出部４３が仕切体２６を引込位置から張出位置に揺動させ、図５および図８に図示する状態とする。そして、観音開式扉１１，１２が閉じられた状態では、扉１１，１２のガスケット１６は、開口８の縁部、横仕切９および仕切体２６に当接し、庫内２の冷気の流出を防止する。
【００１８】
また、キャップ３６が押圧部４６で押圧された際に、キャップ３６の移動量に応じて板バネ３７は変形するが、板バネ３７の付け根部３７ｂの上下の変位を爪支持板３１の開口３９が許容しているため、板バネ３７の脚部３７ｃ，３７ｄだけでなく、付け根部３７ｂも変形することができる。したがって、付け根部３７ｂの変位が爪支持板３１の中板部３１ｂなどで阻止されているものに比して、小さな板バネ３７で対応することができる。
【００１９】
右側の扉１２が閉じた状態から開けられる際には、上述の閉動作とは逆に、仕切体２６が張出位置から引込位置に回動するとともに、キャップ３６が押圧部４６から離れ、板バネ３７の付勢力により図７において反時計方向に回動するとともに、上方に変位する。それに伴って、爪３３が離脱部２８ａを通って爪係止溝２８に係合し係止される。そして、爪３３と爪係止溝２８との係合により、仕切体２６は引込位置に確実に確保される。したがって、段ボールなどが仕切体２６に当たり、引込位置から張出位置に揺動させる方向に仕切体２６に力が加わっても、仕切体２６が張出位置に揺動することを防止することができる。
【００２０】
前述の様に、この実施の形態においては、仕切体２６には係止部（爪係止溝２８）が設けられ、仕切支持体２１には係止部に係脱可能な係合部（爪３３）、押圧された際に係合部を係止部から離脱させる被押圧部（キャップ３６）および係合部を係止部に係合させる方向に付勢する付勢手段（板バネ３７）が設けられ、かつ、断熱箱体１の開口８の縁部には被押圧部を押圧する押圧部４６が設けられている。したがって、一方の扉（右側の扉１２）を開けた際には、付勢手段により仕切支持体２１の係合部が仕切体２６の係止部に係合されて係止され、この係合部と係止部との係合により、仕切体２６が確実に引込位置に保持される。その結果、段ボールなどが仕切体２６に当たり、引込位置から張出位置に揺動させる方向に仕切体２６に力が加わっても、仕切体２６が張出位置に揺動することを防止することができる。
【００２１】
そして、係合部および被押圧部が設けられている係合部支持体（爪支持板３１）には、回動軸（ビス３２）の挿入される孔３４が形成されて、揺動可能となっているとともに、この孔３４が長孔であるので、上下にスライド可能となっている。そのため、冷却貯蔵庫の貯蔵温度帯が異なって、細長い仕切支持体２１や仕切体２６の収縮量が異なり、仕切支持体２１および仕切体２６の端部の位置が上下に変位しても、長孔３４が回動軸に対して上下にスライドすることにより円滑に対応することができる。その結果、冷蔵庫や冷凍庫などのように貯蔵温度帯の異なる各種冷却貯蔵庫にも、同じ長さの仕切支持体２１や仕切体２６を採用することができる。
【００２２】
また、係合部支持体（爪支持板３１）には、板バネ３７の付け根部３７ｂの上下の変位を許容する開口３９が設けられているため、板バネ３７の脚部３７ｃ，３７ｄだけでなく、付け根部３７ｂも変形することができる。したがって、付け根部３７ｂの変位が係合部支持体などで阻止されているものに比して、小さな板バネで対応することができる。
【００２３】
そして、係合部支持体（爪支持板３１）は、係合部（爪３３）および長孔３４が形成されている側板部３１ａ、この側板部３１ａの端部から略直角に折り曲げられた中板部３１ｂ、および、この中板部３１ｂの端部から略直角に折り曲げられて被押圧部（キャップ３６）が設けられるフランジ部３１ｃを具備しており、被押圧部（キャップ３６）により押圧された際に、中板部３１ｂが係合部支持体の下方への変位を制限するストッパーとなる。この中板部３１ｂに、板バネ３７の付け根部３７ｂの上下の変位を許容する開口３９が設けられている。
【００２４】
さらに、押圧部４６が弾性部材（板バネ４４）を介して断熱箱体１の縁部に取り付けられているため、仕切支持体２１やキャップ３６などの取付誤差や温度変化などに円滑に対応することができる。
【００２５】
また、板バネ３７には扉側脚部３７ｃおよび庫内側脚部３７ｄの２個の脚部が設けられているので、長孔３４をビス３２にスライドさせて、爪支持板３１を回動させながら円滑に上下動させることができる。
【００２６】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）冷却貯蔵庫は、業務用冷蔵庫以外の他の形式の冷却貯蔵庫でも可能である。たとえば、冷凍冷蔵庫や冷凍庫、また、業務用以外のものなどでも可能である。
【００２７】
（２）観音開式扉の個数や配置などは適宜変更可能である。そして、少なくとも、１個の観音開式扉が仕切体および仕切支持体を具備している。
（３）係合部や係止部の構造や形式は適宜変更可能である。
【００２８】
（４）被押圧部（キャップ３６）を押圧する部材は、断熱箱体１の開口８の縁部に取り付けられた押圧部４６に限定されず、開口８の縁部で押圧することも可能である。
（５）仕切体および仕切支持体は、右側の扉１２ではなく、左側の扉１１に設けることも可能であり、左右の何れか一方の扉に取り付けられる。
【００２９】
（６）実施の形態においては、被押圧部（キャップ３６）を付勢する被押圧部付勢手段は、板バネ３７であるが、コイルバネなどの他の形式のバネや、ゴムなどの弾性体でも可能である。同様に、押圧部付勢手段は板バネ４４であるが、コイルバネなどの他の形式のバネや、ゴムなどの弾性体でも可能である。ただし、付勢手段はバネ、特に板バネであることが好ましい。
（７）また、板バネ３７の脚部の本数は適宜変更可能で、たとえば、扉側脚部３７ｃのみとすることも可能である。ただし、扉側脚部３７ｃおよび庫内側脚部３７ｄの両者を設けることが好ましい。
（８）実施の形態においては、被押圧部（キャップ３６）は係合部支持体（爪支持板３１）と別体に形成されているが、一体に形成することも可能である。また、係合部（爪３３）は係合部支持体（爪支持板３１）と一体に形成されているが、別体に形成することも可能である。この様に、被押圧部および係合部が設けられている係合部支持体の構造は、適宜変更可能である。
【００３０】
（９）実施の形態においては、爪支持板３１や爪係止溝２８は、仕切支持体２１および仕切体２６の上端部に設けられているが、上端部ではなく下端部に設けることも可能である。
（１０）実施の形態においては、回動軸はビス３２で構成されているが、軸体であればよく、シャフトなどで構成することも可能である。
【００３１】
【発明の効果】
本発明によれば、係合部支持体が、仕切支持体の端部に設けられた回動軸に嵌まる長孔を有し、回動および上下動可能となっており、この係合部支持体の係合部が、扉の開位置で被押圧部が押圧されていない際には仕切体の係止部に係合して仕切体を引込位置に保持し、かつ、扉の閉位置で被押圧部が押圧されると係合位置から移動して仕切体の揺動を許容している。したがって、扉が開いている状態では、係合部が係止部に係合することにより、仕切体は引込位置に保持されている。その結果、段ボールなどが仕切体に当たり、引込位置から張出位置に揺動させる方向に仕切体に力が加わっても、仕切体が張出位置に揺動することを防止することができる。そして、扉を閉じた際には、押圧部が被押圧部を押圧するため、係合部が係止部との係合位置から移動して仕切体の揺動を許容する。したがって、仕切体は、開口縁部の突出部と仕切体のガイド溝との係合により、引込位置から張出位置に揺動することができる。
しかも、前述のように、回動軸に嵌まる孔が長孔であり、係合部支持体が上下にスライド可能となっているため、冷却貯蔵庫の貯蔵温度帯が異なって、仕切支持体や仕切体の収縮量が異なり、仕切支持体および仕切体の端部の位置が上下に変位しても、長孔が回動軸に対して上下にスライドすることにより円滑に対応することができる。それとともに、仕切体や仕切支持体に取付誤差などがある際にも、円滑に対応することができる。その結果、冷蔵庫や冷凍庫などのように貯蔵温度帯の異なる各種冷却貯蔵庫にも、同じ長さの仕切支持体や仕切体を採用することができる。その結果、部品の製造コストや管理コストを削減することができる。
【００３２】
また、係合部支持体を押圧部の押圧に抗する方向に付勢する付勢手段が、仕切支持体の本体の端面に当接する脚部を有する板バネで構成され、かつ、係合部支持体には、板バネの脚部の付け根部の上下の変位を許容する開口が設けられているので、板バネの脚部だけでなく、付け根部も変形することができる。したがって、付け根部の変位が係合部支持体などで阻止されているものに比して、小さな板バネで対応することができる。
【００３３】
そして、押圧部が、弾性部材を介して断熱箱体の開口縁部に設けられ上下方向に変位可能であるので、仕切体や仕切支持体に取付誤差や温度変化などがある際にも、円滑に対応することができる。
【図面の簡単な説明】
【図１】図１は本発明にかかる冷却貯蔵庫の斜視図である。
【図２】図２は冷却貯蔵庫の仕切体および仕切支持体の上部の斜視図である。
【図３】図３は押圧部、ガイド溝に係合する突出部、仕切体および仕切支持体の組立分解斜視図である。
【図４】図４は引込位置にある仕切体および仕切支持体の要部切欠斜視図である。
【図５】図５は閉位置にある観音開式扉の要部平断面図である。
【図６】図６は開位置にある観音開式扉の要部平断面図である。
【図７】図７は扉が閉じる直前の説明図で、（ａ）が要部断面図、（ｂ）が仕切体および仕切支持体の平面図である。
【図８】図８は扉が閉じた状態の説明図で、（ａ）が要部断面図、（ｂ）が仕切体および仕切支持体の平面図である。
【図９】図９は従来の冷却貯蔵庫の観音開式扉の開閉時の概略の説明図である。
【符号の説明】
１  断熱箱体
８  断熱箱体の開口
１１，１２  観音開式扉
２１  仕切支持体
２６  仕切体
２７  ガイド溝
２８  爪係止溝（係止部）
３１  爪支持板（係合部支持体）
３２  ビス（回動軸）
３３  爪（係合部）
３４  爪支持板の長孔
３６  キャップ（被押圧部）
３７  板バネ（被押圧部用付勢手段）
３７ｂ  板バネの脚部の付け根部
３７ｃ，３７ｄ  板バネの脚部
３９  爪支持板の開口
４３  突出部
４４  板バネ（押圧部用弾性部材）
４６  押圧部
【図１】
2004176941.tif 000003
【図２】
2004176941.tif 000004
【図３】
2004176941.tif 000005
【図４】
2004176941.tif 000006
【図５】
2004176941.tif 000007
【図６】
2004176941.tif 000008
【図７】
2004176941.tif 000009
【図８】
2004176941.tif 000010
【図９】
2004176941.tif 000011